(57)【要約】本発明は、少なくとも２つの入力画像信号（４．１，４．２）に基づいて、ＰＩＰ（ピクチャインピクチャ）信号、又はＤＷ（ダブルウィンドウ）信号を有する画像信号などのコンポジット出力画像信号（６）を生成する回路（２）であって、少なくとも２つの入力画像信号（４．１，４．２）をデコードするカラーデコードユニット（８）と、このデコードされた少なくとも２つの入力画像信号に基づいてコンポジット出力画像信号（６）を生成する生成ユニット（１０）とを有する回路（２）に関する。本発明によると、カラーデコードユニット（８）は、少なくとも２つの入力画像信号（４．１，４．２）を１つの合成された画像信号（１６）に合成する合成ユニット（１４）と、単一のデコードされた画像信号（１２）を得るために合成された画像信号（１６）をデコードする１つのカラーデコーダ（１８）とを有し、生成ユニット（１０）は、単一のデコードされ合成された画像信号（１２）に基づいてコンポジット出力画像信号（６）を生成する。更に、本発明は、本発明による回路（２）と出力コンポジット画像信号（６）を表示する表示装置（Ｄ）とを備えたテレビジョン機器に関する。他に、本発明は、本発明による回路を備えたビデオテープレコーダに関する。
2004507174.tif 000002
【特許請求の範囲】
【請求項１】
少なくとも２つの入力画像信号に基づいて、ＰＩＰ（ピクチャインピクチャ）信号又はＤＷ（ダブルウィンドウ）信号を有する画像信号などのコンポジット出力画像信号を生成する回路であって、
前記少なくとも２つの入力画像信号をデコードするカラーデコード手段であって、前記少なくとも２つの入力画像信号を合成して１つの合成された画像信号にする合成手段、及び前記１つの合成された画像信号をデコードして単一のデコードされ合成された画像信号を得る１つのカラーデコーダ、を有する当該カラーデコード手段と、
前記単一のデコードされ合成された画像信号に基づいて、前記コンポジット出力画像信号を生成する生成手段と
を有する回路。
【請求項２】
前記１つに合成された画像信号を得るように、前記少なくとも２つの入力画像信号を時間的にマルチプレクスするマルチプレクサを前記合成手段が有する、請求項１に記載の回路。
【請求項３】
前記マルチプレクサが、バッファメモリを有する、請求項２に記載の回路。
【請求項４】
前記コンポジット出力画像信号を得る更なる処理のために、前記デコードされ合成された画像信号を時間的にデマルチプレクスして、少なくとも２つのデコードされた画像信号にするデマルチプレクサを前記生成手段が有する、請求項１に記載の回路。
【請求項５】
前記少なくとも２つのデコードされた画像信号の前記更なる処理のために、前記生成手段が、メモリ及びマイクロプロセッサを更に有する、請求項４に記載の回路。
【請求項６】
請求項１に記載の回路と、前記コンポジット出力画像信号を表示する表示装置とを備えるテレビジョン機器。
【請求項７】
請求項１に記載の回路を備えるビデオテープレコーダ。
【発明の詳細な説明】
【０００１】
【発明の属する技術分野】
本発明は、少なくとも２つの入力画像信号に基づいて、ＰＩＰ（ピクチャインピクチャ）信号、又はＤＷ（ダブルウィンドウ）信号を有する画像（ピクチャ）信号などのコンポジット出力画像信号を生成する回路であって、少なくとも２つの入力画像信号をデコードするカラーデコード手段と、このデコードされた少なくとも２つの入力画像信号に基づいて出力画像信号を生成する生成手段とを有する回路に関する。更に、本発明は、本発明による回路を備えたテレビジョン機器に関する。他に、本発明は、本発明による回路を備えたビデオテープレコーダに関する。
【０００２】
【従来の技術】
コンポジット出力画像信号を生成する回路は知られており、例えば、テレビジョン機器及びビデオテープレコーダなどにその用途を見出している。これら既知回路の欠点は、カラーデコード手段が、各々の入力画像信号について１つのカラーデコーダを有することである。カラーデコーダは割高な構成要素なので、相対的に高価格の回路につながる。
【０００３】
【発明が解決しようとする課題】
本発明の目的は、既知の回路より実質的に安価になりうるコンポジット出力画像信号を生成する回路を提供することである。
【０００４】
【課題を解決するための手段】
この目的のために、本発明による回路は、カラーデコード手段が、少なくとも２つの入力画像信号を合成して１つの合成された画像信号にする合成手段と、この合成された画像信号をデコードして単一のデコードされた画像信号を得るようにする１つのカラーデコーダとを有し、前記生成手段が、単一のデコードされ合成された画像信号に基づいてコンポジット出力画像信号を生成することを特徴とする。このようにして、既知回路に対して、少なくとも１つの高価なカラーデコーダが削減される。本発明による回路では、前記１つのカラーデコーダが、該回路で実行されるべき全てのデコード動作を実行する。本発明は、従来技術のソリューションよりも大きいメモリが必要とされうるけれども、これに関しては、商業的に入手可能なメモリユニットが、多くの場合１０フィールドより多く記憶するに足る容量を十分に有しているので、全く問題ではない。
【０００５】
合成手段は、カラーデコーダよりも安価でありうる。合成手段の一例が、本発明による回路の以下に記す実施例に見出される。この実施例は、１つの合成された画像信号を得るように、少なくとも２つの入力画像信号を時間的にマルチプレクスするマルチプレクサを合成手段が有することを特徴とする。このマルチプレクサは、バッファメモリを有しうる。
【０００６】
本発明による回路の他の実施例では、コンポジット出力画像信号を得る更なる処理のために、１つのデコードされ合成された画像信号を少なくとも２つのデコードされた画像信号に時間的にデマルチプレクスするデマルチプレクサを生成手段が有する。その後、少なくとも２つのデコードされた画像信号が、生成手段において別個に処理される。この生成手段は、少なくとも２つのデコードされた画像信号の別の処理のために、メモリ及びマイクロプロセッサを更に有してもよい。
【０００７】
本発明による回路を進歩させた実施例において、入力画像信号は、ＣＶＢＳ信号である。略語のＣＶＢＳは、コンポジットビデオベースバンド信号（Ｃｏｍｐｏｓｉｔｅ Ｖｉｄｅｏ Ｂａｓｅｂａｎｄ Ｓｉｇｎａｌ）を表す。ＣＶＢＳプロトコルは、とりわけテレビジョン機器に関連して用いられる。本発明による回路の別の進歩した実施例において、入力画像信号は、ＹＣ信号である。ＹＣ信号は、輝度情報Ｙと、クロミナンス情報Ｃとを有する。このＹＣプロトコルは、とりわけビデオテープレコーダに関連して用いられる。
【０００８】
本発明の回路の有利な実施例は、デコードされ合成された画像信号が、ＹＵＶ、ＨＶ信号であり、コンポジット出力画像信号が、ＹＵＶ、ＨＶ信号であることを特徴とする。
【０００９】
本発明は、本発明の特定の実施例が概略的に示される添付図面によって、以下に明瞭に説明される。
【００１０】
【発明の実施の形態】
図１は、２つの入力画像信号４．１及び４．２を受信し、コンポジット出力画像信号６を生成する回路２を概略的に示す図である。この例において、回路２は、入力画像信号４．１及び４．２が、テレビジョン機器のチューナーから受信されるディジタル信号であるテレビジョンの一部であり、かかるテレビジョン機器において各々の入力画像信号は、コード化したシーケンスの像（イメージ）を有する。本例において、入力画像信号４．１及び４．２は、コンポジットビデオベースバンド信号（ＣＶＢＳ信号）である。コンポジット出力画像信号６は、本例では、ＰＩＰ（ピクチャインピクチャ）信号を有する画像信号である。あるいはまた、コンポジット出力画像信号６は、２つの入力画像が並列に表示されるＤＷ（ダブルウィンドウ）信号である。このコンポジット出力画像信号は、表示画面３４をもつ表示装置Ｄに表示される。
【００１１】
該回路は、２つの入力画像信号４．１及び４．２をデコードするカラーデコードユニット８と、デコードされ合成された画像信号１２に基づいてコンポジット出力画像信号６を生成する生成ユニット１０とを有する。
【００１２】
カラーデコードユニット８は、２つの入力画像信号４．１及び４．２を合成して１つの合成された画像信号１６にする合成ユニット１４を有する。この合成ユニット１４は、入力画像信号４．１及び４．２を時間的にマルチプレクスして１つの合成された画像信号１６にするマルチプレクサを有する。この例において、前記マルチプレクサは、１つのカラーデコーダ１８により読み出されるバッファメモリを有する。このカラーデコーダ１８の読取り処理のタイミングに関しては、回路２のタイミング信号２０を利用する。
【００１３】
実際には、１つの合成された画像信号１６は、２つの入力画像信号４．１及び４．２を有するＣＶＢＳ信号であり、かかる信号４．１及び４．２において２つの入力画像信号の像のシーケンスがインターリーブされている。このことは、合成された画像信号１６のデータレートが、前記信号４．１及び４．２それぞれのデータレートよりも高いことを意味する。入力画像信号４．１のデータレートが、入力画像信号４．２のデータレートに等しい場合、１つの合成された画像信号１６のデータレートは、入力画像信号のデータレートより２倍高く、その結果として、１つのカラーデコーダ１８は、入力画像信号４．１及び４．２のデータレートより２倍高いデータレートで動作する。
【００１４】
このカラーデコーダ１８は、１つのデコードされ合成された画像信号１２を生じる１つの合成された画像信号１６をデコードする。１つのデコードされ合成された画像信号１２は、いわゆるＹＵＶ、ＨＶ信号であり、この信号は、輝度情報（Ｙ）及び色情報（ＵＶ）と、水平及び垂直同期情報（ＨＶ）とをそれぞれ含むデータパケットを有する。（データパケットのレベルで）デコードされ合成された画像信号１２のデータレートは、この例において、合成された画像信号１６のデータレートに等しい。
【００１５】
生成ユニット１０は、生成ユニット２２及びメモリ２４を有する。
【００１６】
図２は、生成ユニット２２の更に詳細な図である。生成ユニット２２は、デコードされ合成された画像信号１２を時間的にデマルチプレクスするデマルチプレクサ２６と、それ自体は既知であるＰＩＰユニット２８とを有する。デマルチプレクサ２６は、１つのデコードされ合成された画像信号１２を入力し、この信号で時間的にデマルチプレクスの動作を実行し、これにより２つのデコードされた画像信号３０．１及び３０．２を生じる。これら２つのデコードされた画像信号３０．１及び３０．２が、ＰＩＰユニット２８の入力となる。ＰＩＰユニット２８は、よく知られたやり方で、２つのデコードされた画像信号３０．１及び３０．２の像を処理するマイクロプロセッサを有する。この処理によって、コンポジット出力画像信号６を生じる。該マイクロプロセッサは、情報をメモリ２４に記憶するとともに、２つのデコードされた画像信号３０．１及び３０．２の処理に関して接続部３２を介して記憶された情報を読み出すことができる。この記憶された情報は、処理結果及び／又は中間処理結果を有することができる。
【００１７】
図３は、生成された出力画像信号６が描写されるテレビジョンの画面３４を概略的に示す。この画面は、一方の入力画像信号を主画像３６とし、他方の入力画像信号を主画像３６に挿入されるより小さな画像３８として描写する。
【００１８】
特許法の規定に従い、本発明はその好ましい実施例を表すと考えられるものに関して説明された。しかしながら、本発明は、請求項により決定されたその見地から離れることがなければ、特に図示され説明されたもの以外で実践されることもできることに留意すべきである。例えば、ウィンドウがオーバーラッピングしない画面の別個のウィンドウに入力画像信号が示されるように、出力画像信号がテレビジョン機器の画面に示されている入力画像信号に基づいて、マルチプルウィンドウ出力画像信号を本発明の回路が生成することもできる。更に、本発明による回路は、テープビデオレコーダにも同様に適用されることができる。後者の場合、入力画像信号は、いわゆるＹＣ信号でありうる。
【００１９】
請求項において、括弧内に位置する何れの参照符号も、請求項を限定するものとして解釈されてはならない。動詞「有する（ｃｏｍｐｒｉｓｉｎｇ）」は、請求項に記載されるもの以外の構成要素又はステップの存在を除外するものではない。構成要素に先行する冠詞「ａ」又は「ａｎ」は、このような構成要素が複数存在することを除外するものではない。本発明は、いくつかの異なる構成要素を有するハードウェア、及び適切にプログラムされたコンピュータによって実施されることができる。いくつかの手段を列挙する装置請求項において、これら手段のいくつかは、ハードウェアの同一のアイテムによって実現されうる。特定の方策が互いに異なる従属請求項で詳述されるという単なる事実は、これら方策の組み合わせが、有利に使用されることはできないということを示すものではない。
【図面の簡単な説明】
【図１】ＰＩＰ信号を生成するテレビジョン機器において用いられることができる回路を概略的に示す。
【図２】図１の回路の生成手段を概略的に示す。
【図３】テレビジョン画面上のＰＩＰ信号の描写を概略的に示す。
【国際公開パンフレット】
2004507174.tif 000003
2004507174.tif 000004
2004507174.tif 000005
2004507174.tif 000006
2004507174.tif 000007
2004507174.tif 000008
2004507174.tif 000009
2004507174.tif 000010
2004507174.tif 000011
【国際調査報告】
2004507174.tif 000012
2004507174.tif 000013
2004507174.tif 000014